(57)【要約】【課題】集塵機自体の大型化を避けながら、小型で、かつ簡単な構造で吸引流体への異物の混入を抑制し得るノズル装置を提供する。【解決手段】集塵機の吸引口に接続された側とは反対側の端部に装着された吸液用ノズル部３Ｂに、吸引ホース３Ａが接続された筒状のカバーケース３０と、カバーケース３０に内装されたノズルフィルター３３と、が備えられ、カバーケース３０に、吸引ホース３Ａの端部に連なる流体排出口３１と、流体排出口３１が存在する側とは反対側の端部に開口する流体吸入口３２と、が備えられ、ノズルフィルター３３が、流体吸入口３２から流体排出口３１に至るカバーケース３０内の流体通路を横断して設けられている。【選択図】図２
2018079026.tif 000002
【特許請求の範囲】
【請求項１】
集塵機の吸引口に接続される吸引ホースと、その吸引ホースの、前記吸引口に接続された側とは反対側の端部に装着された吸液用ノズル部と、が備えられ、
前記吸液用ノズル部に、前記吸引ホースが接続された筒状のカバーケースと、そのカバーケースに内装されたノズルフィルターと、が備えられ、
前記カバーケースに、前記吸引ホースの端部に連なる流体排出口と、その流体排出口が存在する側とは反対側の端部に開口する流体吸入口と、が備えられ、
前記ノズルフィルターが、前記流体吸入口から前記流体排出口に至る前記カバーケース内の流体通路を横断して設けられているノズル装置。
【請求項２】
前記カバーケースに、そのカバーケースを設置した箇所と前記流体吸入口との間隔を調節可能な開口量調節手段が備えられている請求項１記載のノズル装置。
【請求項３】
前記ノズルフィルターは筒状に形成され、前記カバーケースの内部において、前記流体吸入口に連通する上流側空間が前記ノズルフィルターの筒周面の内方側に形成され、前記流体排出口に連通する下流側空間が前記ノズルフィルターの筒周面の外方側に形成されている請求項１又は２記載のノズル装置。
【請求項４】
前記ノズルフィルターは、前記流体吸入口に近い側の内径よりも前記流体排出口に近い側の内径が小さい円錐状に形成されている請求項３記載のノズル装置。
【請求項５】
前記ノズルフィルターは、前記ノズルフィルターの頂部が、前記カバーケースの天井壁部分に形成された前記流体排出口に対向し、かつ前記天井壁部分との間に流体の流動が可能な所定間隔を隔てて配設されている請求項１〜４のいずれか一項記載のノズル装置。
【発明の詳細な説明】
【技術分野】
【０００１】
本発明は、工作機械の加工工程において冷却や潤滑等の目的で使用されるクーラントの廃液を、クーラントタンクから吸い出す場合などのように、吸引対象の流体に多量の切粉やスラッジ等の異物が混入している条件下で用いられるノズル装置に関する。
【背景技術】
【０００２】
この種のノズル装置としては、下記［１］に記載の技術が知られている。
［１］集塵機の一例である掃除機本体に吸引流体の吸引口（特許文献１では取り入れ口）を備え、この吸引口に吸引ホース（特許文献１では吸込み口体）を接続し、吸引ホースを介して吸い込んだ流体を、掃除機本体の下部に備えた容器に貯留するように構成されたもの（例えば、特許文献１参照）。
【先行技術文献】
【特許文献】
【０００３】
【特許文献１】特開２００８−１０４７３４号公報（段落〔００２０〕、〔００３１〕、〔００３２〕、図１、図４）
【発明の概要】
【発明が解決しようとする課題】
【０００４】
上記の特許文献１に示された技術によれば、吸引ホースを介してクーラントタンク内の廃液を吸引排出することは可能である。しかしながら、この掃除機では、クーラントタンク内の廃液を吸引排出する際に、クーラントタンク内の廃液を切粉やスラッジ等の異物とともに吸い込むことになる。吸い込まれた廃液は、掃除機内部の旋回除塵部で気液分離され、廃液が切粉やスラッジ等の異物とともに下部の容器内に貯留される。
このような技術によれば、液体気体の区別なく吸引排出できる点では有用なものであるが、廃液中に異物が混入した状態で回収されるため、この廃液の処理に関して改善の余地がある。
【０００５】
上記の掃除機では、クーラントタンクと集塵機との間における流体給排用の経路に、ドラム缶などの中継容器を介在させて、その中継容器にクーラントタンクの廃液を貯留するようにした使用形態で用いられることがある。
このとき、クーラントタンク内の廃液が切粉やスラッジ等の異物とともに中継容器側に吸い込まれると、中継容器がクローズタイプのドラム缶などであれば、中継容器内の異物を取り出すことが不可能である。このため、中継容器ごと廃液処理業者に引き渡したくても、廃液処理業者側では異物の処理ができないので引き取って貰えない虞がある。
また、クーラントタンク内のクーラントを一時的に中継容器側に移して、クーラントタンク内を清掃した後、中継容器内のクーラントを再利用のためにクーラントタンクへ戻す場合には、先に抜き出したクーラントに多くの異物が含まれていれば、折角清掃した後のクーラントタンクに多くの異物を含むクーラントが戻されてしまうことになる。
このような問題を解消するために、廃液中の異物を除去するための除塵構造を集塵機の内部に設けると、集塵機自体が大型化してしまうという問題がある。
【０００６】
本発明は、集塵機自体の大型化を避けながら、小型で、かつ簡単な構造で吸引流体への異物の混入を抑制し得るノズル装置を提供しようとするものである。
【課題を解決するための手段】
【０００７】
上記目的を達成するために講じた本発明によるノズル装置は、集塵機の吸引口に接続される吸引ホースと、その吸引ホースの、前記吸引口に接続された側とは反対側の端部に装着された吸液用ノズル部と、が備えられ、前記吸液用ノズル部に、前記吸引ホースが接続された筒状のカバーケースと、そのカバーケースに内装されたノズルフィルターと、が備えられ、前記カバーケースに、前記吸引ホースの端部に連なる流体排出口と、その流体排出口が存在する側とは反対側の端部に開口する流体吸入口と、が備えられ、前記ノズルフィルターが、前記流体吸入口から前記流体排出口に至る前記カバーケース内の流体通路を横断して設けられていることを特徴とする。
【０００８】
本発明によれば、吸液用ノズル部にノズルフィルターが装着され、ノズルフィルターによって吸引流体中から異物を除去して、濾過されたクーラントなどの液体のみを吸引することができる。
これにより、集塵機側に異物の除去及び貯留するための構造を要さず、集塵機自体の大型化を避けながら、異物の混入を抑制した液体の吸引を、簡単な構造で達成することができる。
また、通常は気体液体の区別なく吸引可能である集塵機としての機能は活かしながら、吸液用ノズル部の装着によって異物除去機能をも有した集塵機として用いることができるので、集塵機自体の多様化をも図ることができる。
【０００９】
本発明においては、前記カバーケースに、そのカバーケースを設置した箇所と前記流体吸入口との間隔を調節可能な開口量調節手段が備えられていると好適である。
【００１０】
本発明によれば、カバーケースを設置した箇所と流体吸入口との間隔を調節することができる。したがって、例えばクーラントタンク内における切粉やスラッジの堆積量などに応じて、カバーケースを設置した箇所と流体吸入口との間隔が狭くなりすぎないようにするなど、適宜に調整して適切な吸引状況を得ることができる。
【００１１】
本発明においては、前記ノズルフィルターは筒状に形成され、前記カバーケースの内部において、前記流体吸入口に連通する上流側空間が前記ノズルフィルターの筒周面の内方側に形成され、前記流体排出口に連通する下流側空間が前記ノズルフィルターの筒周面の外方側に形成されていると好適である。
【００１２】
本構成を備えることで、ノズルフィルターは筒状に形成されている。そして、流体吸入口から流入する流体は筒周面の内方側に形成された上流側空間を経てノズルフィルターの筒周面を通過し、その筒周面の外方側に形成されている下流側空間に流れ込む。
このように流体が、ノズルフィルターの筒周面の内方側を通って筒周面の外方側へ流れることで、流体中の異物は、筒周面の内側で、かつ流体排出口に近い側に多く付着する。
したがってノズルフィルターの内部に多くの異物が付着したと思われるとき、カバー体の流体吸入口を下に向けた状態で、クーラントタンクの内底部に軽く打ち付けるなど、少しの衝撃を与えることで異物を容易に滑落除去させることができる。
【００１３】
本発明においては、前記ノズルフィルターは、前記流体吸入口に近い側の内径よりも前記流体排出口に近い側の内径が小さい円錐状に形成されていると好適である。
【００１４】
本構成を備えることで、ノズルフィルターは、カバーケースの内部で、流体吸入口に近い側の内径よりも流体排出口に近い側の内径が小さい円錐状に形成されている。そして、流体吸入口から流入する流体は円錐状の筒周面の内方側に形成された上流側空間を経てノズルフィルターの円錐状の筒周面の内方側を通過し、円錐状の周面の外方側に形成されている下流側空間に流れ込む。
このように流体が、ノズルフィルターの円錐状の筒周面の内方側を通って円錐状の筒周面の外方側へ流れることで、流体中の異物は、円錐状の筒周面の内側で、かつ流体排出口に近い側に多く付着する。
したがってノズルフィルターの内部に多くの異物が付着したと思われるとき、カバー体の流体吸入口を下に向けた状態で、クーラントタンクの内底部に軽く打ち付けるなど、僅かな衝撃を与えるだけで異物をより一層簡単に滑落除去させることができる。これは、ノズルフィルターが円錐状の周面を有しているので、その内周面側に付着した異物に鉛直方向の衝撃を与えると、異物自身の重量や慣性が付着面から剥がれる方向に有効に作用するためと思われる。
【００１５】
本発明においては、前記ノズルフィルターは、前記ノズルフィルターの頂部が、前記カバーケースの天井壁部分に形成された前記流体排出口に対向し、かつ前記天井壁部分との間に流体の流動が可能な所定間隔を隔てて配設されていると好適である。
【００１６】
本構成を備えることで、ノズルフィルターの頂部が、カバーケースの天井壁部分に形成された流体排出口に対向しているので、流体排出口側から作用する吸引力が、ノズルフィルターの頂部付近に集中し易い。したがって、ノズルフィルターの周方向での一部分のみに吸引力が集中することを避けて、周方向での広範囲に万遍なく吸引力を作用させて、ノズルフィルターの濾過面積を有効に利用し得る。
それでいて、ノズルフィルターの頂部付近の内側には多くの異物が付着しても、吸引力が強く作用するノズルフィルターの頂部と天井壁部分との間における流体の流動を可能にするための所定間隔が、ノズルフィルターの頂部と天井壁部分との間に確保されるので、ノズルフィルターの裾部付近を通過した流体の流体排出口側への流動が妨げられるおそれがない。
【図面の簡単な説明】
【００１７】
【図１】集塵機にノズル装置を取り付けた使用状態を示す説明図である。
【図２】吸液用ノズル部の縦断面図である。
【図３】吸液用ノズル部の分解斜視図である。
【図４】集塵機にノズル装置を取り付けた別の使用状態を示す説明図である。
【図５】集塵機にノズル装置を取り付けた別の使用状態を示す説明図である。
【図６】吸液用ノズル部の別実施形態を示す縦断面図である。
【図７】吸液用ノズル部の別実施形態を示す縦断面図である。
【発明を実施するための形態】
【００１８】
以下、本発明の実施の形態の一例を図面の記載に基づいて説明する。
〔集塵機の構成〕
図１は、本発明のノズル装置３を集塵機の一例である掃除機１に適用した場合を例示したものである。
掃除機１は、台車１０に集塵装置２を搭載して一体的に固定したものである。台車１０は集塵装置２を搭載するための台座１１を備え、この台座１１に、後方側に握り部１２ａを備えた操作ハンドル枠１２が取り付けられている。台座１１は、後部側に備えた左右一対の固定転輪１１ａと、前部側に備えた左右一対のキャスター車輪１１ｂとで支持されている。このように、集塵装置２が台車１０に搭載されて移動自在な掃除機１が構成されている。
【００１９】
前記集塵装置２は、吸引風を発生させるための起風部２１、吸引した吸引流体から塵埃を除去するためのフィルターを備えた除塵部２２、吸引流体を旋回させながら気液分離して気体を上方の除塵部２２へ送り込み液体を下方の貯留部２４へ送り込む旋回分離部２３、及び吸引流体から除去された液体を貯留するための貯留部２４を備えている。
前記起風部２１と除塵部２２、及び旋回分離部２３が外装ケース２０に内装されている。貯留部２４は外装ケース２０の下縁よりも下方側に位置して、旋回分離部２３で分離された気体以外の流体（液体、及び液体に混入する固形分など）を貯留するように構成されている。
【００２０】
前記貯留部２４は、台車１０に搭載した、透明、または半透明の合成樹脂材料で内部を透視可能に形成された貯留容器によって構成してある。
この貯留部２４は、台座１１に搭載された状態で外装ケース２０の下部に適宜止め金具（図示せず）を介して連結固定されている。その止め金具による連結を解除することで、外装ケース２０内の旋回分離部２３等との連結が解除され、台座１１への積み降ろしが可能であるように構成されている。
【００２１】
集塵装置２の旋回分離部２３には、吸引ホース３Ａを取付可能な吸引口２５を突設してある。旋回分離部２３の内部には、吸引口２５から吸い込んだ流体を旋回させて、気体は上方の除塵部２２側に送り出し、異物ｍ１を含む液体は下方の貯留部２４へ排出するサイクロン室（図示せず）が設けられている。
除塵部２２には、旋回分離部２３から起風部２１側に流れる気体に接触して、その気体中の塵埃等を除去するフィルターエレメントを備えたフィルター処理室（図示せず）が設けられている。
起風部２１には、旋回分離部２３及び除塵部２２を通過して処理された吸引流体を吸引して周方向に排出するターボファン等によって構成された起風ファン（図示せず）が内装されているとともに、その起風ファンによる排風を外部へ排出するための排気口２６が設けられている。
【００２２】
〔ノズル装置〕
本発明のノズル装置３は、上記のように構成された構造の掃除機１に装着して使用される。
ノズル装置３は、集塵装置２の吸引口２５に接続される吸引ホース３Ａと、その吸引ホース３Ａの、前記吸引口２５に接続された側とは反対側の端部に装着された吸液用ノズル部３Ｂとを備えている。
そして、吸液用ノズル部３Ｂを、図１に示すようにクーラントタンク４等の吸液対象箇所へ設置した状態で使用する。
【００２３】
図２に示すように、吸液用ノズル部３Ｂは、吸引ホース３Ａが接続された筒状のカバーケース３０と、そのカバーケース３０に内装されたノズルフィルター３３とを備えている。
【００２４】
カバーケース３０は、円筒状の周壁部分３０ａと、その周壁部分３０ａの上縁に連なる平板状の天井壁部分３０ｂと、周壁部分３０ａの下縁から半径方向外方側へ延出された鍔状のフランジ部３０ｃとを備えている。
天井壁部分３０ｂには、平面視で円筒状の周壁部分３０ａのほぼ中央に相当する位置に、前記吸引ホース３Ａの端部を接続可能な流体排出口３１が上向きに突出形成されている。周壁部分３０ａのうち、前記流体排出口３１が設けられた天井壁部分３０ｂに連なる上縁側とは反対の下縁側は、外部に開放されて流体吸入口３２の周縁を構成している。
【００２５】
ノズルフィルター３３は、流体吸入口３２から流入した流体を濾過するための網状フィルター３４と、その網状フィルター３４の内側に当接して網状フィルター３４の内方側への変形を制限する保形部材３５と、それらの網状フィルター３４及び保形部材３５をカバーケース３０に取り付けて、カバーケース３０とともに起立した姿勢に支持するための環状支持台３６とを備えている。
【００２６】
網状フィルター３４は、濾過対象物の大きさに適した網目を備える金属網、もしくは合成樹脂製の網で構成され、頭頂部の一部を除く周面が円錐形状に形成されている。頭頂部は部分的に切除され、対向する流体排出口３１と同程度の開口面積を有して開放されている。
そして、網状フィルター３４は、円錐形状に形成された周面の下端側がカバーケース３０の流体吸入口３２の内側に位置して、その流体吸入口３２の内径に近い大きさの径を有している。網状フィルター３４の円錐形状に形成された周面のうち、流体排出口３１に近い側である上端側の径は、流体吸入口３２に近い下端側の径よりも小さく設定されている。
【００２７】
保形部材３５は、網状フィルター３４の上端側の開口に内接する無孔の円盤部３５ａと、網状フィルター３４の下端側の開口に内接する環状帯板部３５ｂと、その円盤部３５ａと環状帯板部３５ｂとを連結する４本の接続片３５ｃと、を備えている。
【００２８】
環状支持台３６は、網状フィルター３４の下端側の開口に内接する環状帯板部３５ｂに対して、内側に嵌合する筒状突起部３６ａと、前記カバーケース３０の下縁に備えられたフランジ部３０ｃに対向して、これを下方側から受け止め支持する環状板材３６ｂとを備えたものである。
【００２９】
環状支持台３６の環状板材３６ｂと、カバーケース３０のフランジ部３０ｃには、それぞれ連結孔３７ａが形成されていて、その連結孔３７ａに連結ボルト３７を挿通して、互いに連結固定されている。
また、環状支持台３６の環状板材３６ｂには、カバーケース３０の下縁に開放されている流体吸入口３２と、そのカバーケース３０の設置対象箇所であるところの、クーラントタンク４の底部との間隔ｄ１を調整するための開口量調節手段３８が備えられている。
【００３０】
開口量調節手段３８は、環状板材３６ｂの下面側四箇所に溶接固定された支持ナット３８ａと、その支持ナット３８ａに螺合する調節ボルト３８ｂとによって構成されている。この調節ボルト３８ｂの伸縮量を個別に調節することで、流体吸入口３２とクーラントタンク４の底部との間隔ｄ１を調整することができる。
【００３１】
上記のように構成された吸液用ノズル部３Ｂは、図２に示すように、クーラントタンク４の底部に起立姿勢で設置され、流体吸入口３２からクーラントを吸入する。
流体吸入口３２から網状フィルター３４の円錐状の周面の内方側の空間である上流側空間Ｓ１に入り込んだクーラントは、網状フィルター３４の円錐状の周面を通過して、流体排出口３１に連通する下流側空間Ｓ２に入り込む。
このとき、網状フィルター３４の網目よりも大きい切粉やスラッジなどの異物ｍ１が、この網目で捕捉され、濾過されたクーラントが下流側空間Ｓ２を経て流体排出口３１から排出される。
【００３２】
吸液用ノズル部３Ｂによるクーラントの吸入が行われているうちに、網状フィルター３４の内面側には、図２に示すように、網状フィルター３４の上部付近により多くの異物ｍ１が付着する傾向にある。
この状態にまで異物ｍ１の付着範囲が増大しても、網状フィルター３４の下半側では、あまり異物ｍ１が付着していないので、集塵装置２によるクーラントの吸入に際しての通路面積が極端に狭くなることはない。また、網状フィルター３４の頭頂部とカバーケース３０の天井壁部分３０ｂとの間には、天井壁部分３０ｂとの間に流体の流動が可能な所定間隔ｄ２を設けてあるので、下流側空間Ｓ２から流体排出口３１に至る通路の面積が狭められることもない。
【００３３】
網状フィルター３４の内面側における異物ｍ１の付着範囲がさらに増大して、集塵装置２によるクーラントの吸入に対する吸引抵抗が増大してくると、吸液用ノズル部３Ｂを少し持ち上げて、クーラントタンク４の内底部に軽く打ち付けるなど、軽い衝撃を与えるだけで異物ｍ１を簡単に滑落除去させることができる。
これは、ノズルフィルター３３の網状フィルター３４が裾広がりの円錐状の周面を有し、その内面側に付着した異物ｍ１に対して、吸液用ノズル部３Ｂに与えた上下方向の衝撃が有効に作用したことによるものと思われる。つまり、異物ｍ１の重量や慣性が、円錐状の内周面に付着する異物ｍ１を円錐状の内周面から離す方向に作用して、効果的に剥がすことによると考えられる。
【００３４】
〔ノズル装置の使用形態〕
本発明によるノズル装置３の用い方としては、図１に示したように、掃除機１とノズル装置３とを吸引ホース３Ａで直接に接続して、クーラントタンク４から掃除機１へクーラントを吸い上げる場合に限らず、図４及び図５に示すようにして用いる場合もある。
この図４及び図５に示す場合は、掃除機１とノズル装置３との間にドラム缶などの中継容器５を介在させている。
図４に示す場合には、掃除機１の吸引作用に伴ってクーラントタンク４から吸い上げられたクーラントは、中継容器５内に投入され、掃除機１には吸引風のみが吸い込まれる。これは、ノズル装置３に接続された吸引ホース３Ａと掃除機１の吸引口２５に接続されている接続ホース２７（吸引ホースの一部に相当する）とが、吸排気中継装置６を介して接続されていることによる。
図５に示す場合は、掃除機１の送風作用に伴って中継容器５内のクーラントがクーラントタンク４へ送り込まれる。これは、ノズル装置３に接続された吸引ホース３Ａと掃除機１の排気口２６に接続されている接続ホース２７（吸引ホースの一部に相当する）とが、吸排気中継装置６を介して接続されていることによる。
【００３５】
上記の吸排気中継装置６は、掃除機１につながる接続ホース２７が、掃除機１の吸引口２５に接続されている（図４参照）と、掃除機１の吸引作用によって中継容器５内の気体を吸引排出して負圧状態とし、同時に、吸引ホース３Ａを介してクーラントタンク４側から中継容器５内へクーラントを吸い上げるように作用する周知のものである。
また、吸排気中継装置６は、掃除機１につながる接続ホース２７が、掃除機１の排気口２６に接続されている（図５参照）と、掃除機１の排気作用によって中継容器５内にエアーを吹き込んで中継容器５の内部の圧を高めることができる。これに伴って、吸引ホース３Ａを介してクーラントタンク４側へ中継容器５内の処理済みクーラントなどを供給するように作用するものである。
【００３６】
このように、ノズル装置３をクーラントタンク４内に置き、中間に中継容器５を配置して掃除機１によるクーラントの吸引を行うと、クーラントタンク４内のクーラントのうち、ノズル装置３のノズルフィルター３３で異物ｍ１の混入を抑制されたクーラントが中継容器５内へ投入される。
したがって、中継容器５内に投入されたクーラントは、異物ｍ１の混入度合いの少ない液体であり、クーラント液を処理する業者へ中継容器５ごと引き渡すことも可能となる。
【００３７】
そして、クーラント自体がそれほど劣化していない場合などには、図４に示すように、クーラントタンク４から中継容器５へクーラントを移した後、クーラントタンク４内を清掃して堆積した切粉やスラッジなどの異物ｍ１を除去し、その後、図５に示すように、中継容器５内のクーラントをクーラントタンク４へ戻して再使用することもできる。
このとき、吸液用ノズル部３Ｂに吸引ホース３Ａを接続したままの状態で中継容器５内のクーラントをクーラントタンク４へ戻せば、吸液用ノズル部３Ｂのノズルフィルター３３に付着していた異物ｍ１を逆洗する状態で脱落させることもできる。
【００３８】
〔他の実施形態の１〕
上記の実施形態では、ノズルフィルター３３として、流体吸入口３２に近い側の内径よりも流体排出口３１に近い側における内径が小さい円錐状の周面を有した形状に形成された構造のものを例示したが、この構造に限られるものではない。
例えば、図示はしないが、ノズルフィルター３３において、流体吸入口３２に近い側の内径と流体排出口３１に近い側における内径とが同径の円筒状に形成されたものであったり、流体吸入口３２に近い側の内径と流体排出口３１に近い側における内径とが少し異なる僅かな円錐形や逆円錐形の筒状に形成されたものであってもよい。この場合、円錐状に形成されたノズルフィルター３３の周面は、筒状に形成されたノズルフィルター３３の筒周面に相当する。このように、本発明では円錐や逆円錐も筒状の概念として含んでいるものである。
さらに、ノズルフィルター３３は、筒状ではあっても完全な円形である必要はなく、長円形であったり、角筒状であっても差し支えない。これらを総称して本発明では「筒状」と称する。
その他の構成は前述した実施形態のものと同様に構成すればよい。
【００３９】
〔他の実施形態の２〕
上記の実施形態では、吸液用ノズル部３Ｂとして、カバーケース３０の内部における上流側空間Ｓ１がノズルフィルター３３の筒周面の内方側に形成され、下流側空間Ｓ２がノズルフィルター３３の筒周面の外方側に形成された構造のものを示したが、この構造に限られるものではない。
例えば、図６に示すように、ノズルフィルター３３として、流体吸入口３２に近い側の内径と流体排出口３１に近い側における内径が同一の円筒状の周面を有した形状に形成された構造のものであってもよい。
このノズルフィルター３３は、円筒状の周面部分が、多数の小孔を穿設したパンチングメタルと、その外側を覆う網状の部材との組み合わせで構成された市販品よって構成されている。
【００４０】
この場合、ノズルフィルター３３が存在するカバーケース３０内では、ノズルフィルター３３における円筒状の周面の外側の空間が、流体吸入口３２に連通する上流側空間Ｓ１となり、円筒状の周面の内側の空間が流体排出口３１に連通する下流側空間Ｓ２となる。
したがって、流体吸入口３２から吸い込まれたクーラントは、ノズルフィルター３３の外側の上流側空間Ｓ１からノズルフィルター３３を通過して、ノズルフィルター３３の内側の下流側空間Ｓ２に入り込み、流体排出口３１から排出される。
このとき、クーラントに含まれていた異物ｍ１は、ノズルフィルター３３の円筒状の周面のうち、流体排出口３１に近い側の周面により多く付着する傾向がある。
【００４１】
この構造では、カバーケース３０の流体吸入口３２とクーラントタンク４の内底面との間隔ｄ１は、開口量調節手段３８によって調節可能に構成されているが、ノズルフィルター３３の頭頂部はカバーケース３０の天井壁部分３０ｂに当接した状態に設けられているので、ノズルフィルター３３の頭頂部とカバーケース３０の天井壁部分３０ｂとの間には、流体の流動が可能な所定間隔ｄ２は設けられていない。
また、この構造では、ノズルフィルター３３がカバーケース３０の天井壁部分３０ｂに取り付けられているので、開口量調節手段３８を取り付けた環状支持台３６が、ノズルフィルター３３側にではなく、カバーケース３０の下端側に取り付けられている。
しかし、これに限らず、環状支持台３６をノズルフィルター３３の底部に固定して、その環状支持台３６に開口量調節手段３８を取り付けてもよい。
その他の構成は前述した実施形態のものと同様に構成すればよい。
【００４２】
〔他の実施形態の３〕
上記の実施形態では、ノズルフィルター３３として、流体吸入口３２に近い側の内径よりも流体排出口３１に近い側における内径が小さい円錐状の周面を有した形状に形成された構造のものを例示したが、この構造に限られるものではない。
例えば、図７に示すように、流体吸入口３２に近い側の内径よりも流体排出口３１に近い側における内径が大きい逆円錐状の周面を有した形状に形成された構造のものであってもよい。
このノズルフィルター３３は、図２に示した円錐状の周面を有したノズルフィルター３３と同一構造のもので構成され、上下逆向きに取り付けられて漏斗状に形成されている。
【００４３】
この場合、ノズルフィルター３３が存在するカバーケース３０内では、ノズルフィルター３３における逆円錐状の周面の外側の空間が、流体吸入口３２に連通する上流側空間Ｓ１となり、逆円錐状の周面の内側の空間が流体排出口３１に連通する下流側空間Ｓ２となる。
したがって、流体吸入口３２から吸い込まれたクーラントは、ノズルフィルター３３の外側の上流側空間Ｓ１からノズルフィルター３３を通過して、ノズルフィルター３３の内側の下流側空間Ｓ２に入り込み、流体排出口３１から排出される。
このとき、クーラントに含まれていた異物ｍ１は、ノズルフィルター３３の逆円錐状の周面のうち、流体排出口３１に近い側の周面により多く付着する傾向があり、多くの場合上部側では、図示のように狭くなったカバーケース３０の内周面との間でブリッジ状に付着する傾向がある。
【００４４】
この構造では、カバーケース３０の流体吸入口３２とクーラントタンク４の内底面との間隔ｄ１は、開口量調節手段３８によって調節可能に構成されているが、ノズルフィルター３３の頭頂部はカバーケース３０の天井壁部分３０ｂに当接した状態に設けられているので、ノズルフィルター３３の頭頂部とカバーケース３０の天井壁部分３０ｂとの間には、流体の流動が可能な所定間隔ｄ２は設けられていない。
また、この構造では、ノズルフィルター３３がカバーケース３０の天井壁部分３０ｂに取り付けられているので、開口量調節手段３８を取り付けた環状支持台３６が、ノズルフィルター３３側にではなく、カバーケース３０の下端側に取り付けられている。
しかし、これに限らず、環状支持台３６をノズルフィルター３３の底部に固定して、その環状支持台３６に開口量調節手段３８を取り付けてもよい。
その他の構成は前述した実施形態のものと同様に構成すればよい。
【００４５】
〔他の実施形態の４〕
上記の実施形態では、ノズルフィルター３３を網状フィルター３４と保形部材３５と環状支持台３６との組み合わせで構成した構造のものを例示したが、この構造に限られるものではない。
例えば、図示はしないが、網状フィルター３４と保形部材３５と環状支持台３６との組み合わせに代えて、円錐状の網状フィルター３４と円錐状のパンチングメタルとの組み合わせを用いたり、網状フィルター３４と保形部材３５との組み合わせに代えて、網状フィルター３４と同程度にまで目の細かいパンチングメタルを使用するなど、適宜の設計変更が可能である。
その他の構成は前記実施形態で示した構造と同様である。
【００４６】
〔他の実施形態の５〕
上記の実施形態では、開口量調節手段３８として、環状支持台３６に固定された支持ナット３８ａと調節ボルト３８ｂを用いたものであるが、この構造に限定されるものではない。
例えば、図示はしないが、長さの異なる脚部材を付け替えて、カバーケース３０の流体吸入口３２とクーラントタンク４の内底面との間隔ｄ１を調節可能にしたり、伸縮可能な何らかの脚部材を設けるようにしてもよい。
その他の構成は前記実施形態で示した構造と同様である。
【００４７】
〔他の実施形態の６〕
上記の実施形態で示した開口量調節手段３８は必ずしも必要なものではなく、調節機能を備えずに、カバーケース３０の流体吸入口３２とクーラントタンク４の内底面との間隔ｄ１を、所定以上に維持し得る突起状のもので構成したり、カバーケース３０の周壁部分３０ａの底部近くに、クーラントの吸入が可能な切り欠き孔を設けるなどして、最小開放量を確保できる構造でもよい。
その他の構成は前記実施形態で示した構造と同様である。
【００４８】
〔他の実施形態の７〕
上記の実施形態では、開口量調節手段３８を設けて、ノズル装置３の吸液用ノズル部３Ｂをクーラントタンク４の内底部など、吸入対象箇所に設置した状態で使用する形態を例示したが、必ずしもこのような使用形態で用いなければならないものではない。
例えば、開口量調節手段３８とは別に、あるいは開口量調節手段３８を設けずに、クーラントタンク４の周壁部分に引っかけ可能なフック部材（図示せず）を設けて、ノズル装置３の吸液用ノズル部３Ｂをクーラントタンク４の内底部など、吸入対象箇所の接地面から離れた状態で使用するようにしてもよい。
また、上述したようなフック部材も備えずに、作業者が吸液用ノズル部３Ｂの上部を手持ち状態で支持して吸液作業を行っても良い。
その他の構成は前記実施形態で示した構造と同様である。
【産業上の利用可能性】
【００４９】
本発明の集塵機のノズル装置３は、実施形態で示したような掃除機に適用したものに限らず、据え付け型の集塵機等、各種の除塵対象機器に適用することも可能である。また、処理対象流体も、工作機械のクーラントにかぎらず、各種の廃液や泥水の処理等に用いられるものであってもよい。
【符号の説明】
【００５０】
１          掃除機（集塵機）
３          ノズル装置
３Ａ        吸引ホース
３Ｂ        吸液用ノズル部
３０        カバーケース
３０ｂ      天井壁部分
３１        流体排出口
３２        流体吸入口
３３        ノズルフィルター
３８        開口量調節手段
Ｓ１        上流側空間
Ｓ２        下流側空間
ｄ１        間隔
ｄ２        所定間隔
【図１】
2018079026.tif 000003
【図２】
2018079026.tif 000004
【図３】
2018079026.tif 000005
【図４】
2018079026.tif 000006
【図５】
2018079026.tif 000007
【図６】
2018079026.tif 000008
【図７】
2018079026.tif 000009